【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
ハウジングと、
供給機構を有する薬剤容器と、
容器を受け入れる容器シートと、
ハウジング上に位置するかまたはハウジングに連結されたアンカー・ステーションと、
容器シートをアンカー・ステーションに対して移動させて供給機構を作動させることができ、非機械エネルギーが加えられたときにそれに応答して作動することができる駆動手段とを備える薬剤ディスペンサであって、
前記駆動手段から与えられたトルクを増大させる歯車手段が前記駆動手段に設けられている薬剤ディスペンサ。
【請求項２】
供給機構を有する薬剤容器と、
容器を受け入れる容器シートと、
供給機構を受け入れるディスペンサ・シートと、
容器シートをディスペンサ・シートに対して移動させて供給機構を作動させることができ、非機械エネルギーが加えられたときにそれに応答して作動することができる駆動手段とを備える薬剤ディスペンサであって、
前記駆動手段から与えられたトルクを増大させる歯車手段が前記駆動手段に設けられている薬剤ディスペンサ。
【請求項３】
ハウジングと、
放出される薬剤を含む薬剤容器と、
供給機構を有するエーロゾル容器と、
エーロゾル容器を受け入れる容器シートと、
ハウジング上に位置するかまたはハウジングに連結されたアンカー・ステーションと、
容器シートをアンカー・ステーションに対して移動させて供給機構を作動させ、放出された薬剤にエネルギーを与えることができ、非機械エネルギーが加えられたときにそれに応答して作動することができる駆動手段とを備える薬剤ディスペンサであって、
前記駆動手段から与えられたトルクを増大させる歯車手段が前記駆動手段に設けられている薬剤ディスペンサ。
【請求項４】
放出される薬剤を含む薬剤容器と、
供給機構を有するエーロゾル容器と、
容器を受け入れる容器シートと、
供給機構を受け入れるディスペンサ・シートと、
容器シートをディスペンサ・シートに対して移動させて供給機構を作動させ、放出された薬剤にエネルギーを与えることができ、非機械エネルギーが加えられたときにそれに応答して作動することができる駆動手段とを備える薬剤ディスペンサであって、
前記駆動手段から与えられるトルクを増大させる歯車手段が前記駆動手段に設けられている薬剤ディスペンサ。
【請求項５】
供給機構は、弁機構、ポンプ機構、またはプランジャ機構から成る群から選択される、請求項１から４のいずれか一項に記載の薬剤ディスペンサ。
【請求項６】
供給機構は計量機構を備える、請求項１から５のいずれか一項に記載の薬剤ディスペンサ。
【請求項７】
供給機構が作動した後で供給機構をリセットするリセット機構をさらに備える、請求項１から６のいずれか一項に記載の薬剤ディスペンサ。
【請求項８】
リセット機構は供給機構の一部を形成する、請求項７に記載の薬剤ディスペンサ。
【請求項９】
リセット機構は駆動手段の一部を形成する、請求項７に記載の薬剤ディスペンサ。
【請求項１０】
駆動手段は、駆動手段に電流エネルギー、電界エネルギー、または磁界エネルギーが加えられたときにそれに応答して作動することができる、請求項１から９のいずれか一項に記載の薬剤ディスペンサ。
【請求項１１】
駆動手段は、電動復帰作用を有する、請求項１から１０のいずれか一項に記載の薬剤ディスペンサ。
【請求項１２】
駆動手段は、非電動復帰作用を有する、請求項１から１０のいずれか一項に記載の薬剤ディスペンサ。
【請求項１３】
駆動手段は電動モータを備える、請求項１から１２のいずれか一項に記載の薬剤ディスペンサ。
【請求項１４】
モータは線形駆動または回転駆動を行う、請求項１３に記載の薬剤ディスペンサ。
【請求項１５】
駆動手段は、DC電気モータ、AC電気モータ、圧電（PZ）モータまたは超音波（US）モータ、電磁モータ、および線形電気モータから成る群から選択されるモータを備える、請求項１３または１４に記載の薬剤ディスペンサ。
【請求項１６】
駆動手段は流体ポンプを備える、請求項１から１２のいずれか一項に記載の薬剤ディスペンサ。
【請求項１７】
駆動手段はサーボ・システムを備える、請求項１から１６のいずれか一項に記載の薬剤ディスペンサ。
【請求項１８】
前記サーボ・システムはコントローラ、増幅器、およびフィードバック装置を備える、請求項１７に記載の薬剤ディスペンサ。
【請求項１９】
前記コントローラは、定められた作動プロファイルを前記サーボ・システムにプログラムするのを可能にする、請求項１８に記載の薬剤ディスペンサ。
【請求項２０】
前記フィードバック装置は、前記プログラムされた作動プロファイルからの逸脱に応じてエラー信号を生成する、請求項１８または１９に記載の薬剤ディスペンサ。
【請求項２１】
駆動手段が作動すると、供給機構が直接作動させられる、請求項１から２０のいずれか一項に記載の薬剤ディスペンサ。
【請求項２２】
駆動手段が作動すると、供給機構が間接的に作動させられる、請求項１から２０のいずれか一項に記載の薬剤ディスペンサ。
【請求項２３】
前記超音波モータは回転駆動を行う、請求項１５から２２のいずれか一項に記載の薬剤ディスペンサ。
【請求項２４】
カム歯車またはジャッキング・プレートは、前記回転駆動を線形移動に変換して供給機構を作動させる、請求項２３に記載の薬剤ディスペンサ。
【請求項２５】
歯車手段は２０:１から１０００:１の歯車比を有する、請求項１から２４のいずれか一項に記載の薬剤ディスペンサ。
【請求項２６】
歯車手段は１００:１から２００:１の歯車比を有する、請求項２５に記載の薬剤ディスペンサ。
【請求項２７】
歯車手段は、カム歯車、ねじ駆動機構、レバー、クランク軸、プーリ、および水圧変速装置から成る群から選択される、請求項２５または２６に記載の薬剤ディスペンサ。
【請求項２８】
薬剤ディスペンサ内の薬剤容器の位置、速度、トルク、および／または加速度を求めるロケータ手段をさらに備える、請求項１から２７のいずれか一項に記載の薬剤ディスペンサ。
【請求項２９】
前記ロケータ手段は、薬剤ディスペンサ内の薬剤容器の位置を連続的に追跡するような働きをする、請求項２８に記載の薬剤ディスペンサ。
【請求項３０】
薬剤容器を薬剤ディスペンサ内の定められた零位置に位置させる零設定手段をさらに備える、請求項１から２９のいずれか一項に記載の薬剤ディスペンサ。
【請求項３１】
コントローラは、駆動手段の位置プロファイル、速度プロファイル、トルク・プロファイル、または加速度プロファイルのエラーを補正する、請求項１８から３０のいずれか一項に記載の薬剤ディスペンサ。
【請求項３２】
駆動手段は、０.０１Aから１００A、好ましくは０.１Aから５Aの範囲の電流に応答して作動することができる、請求項１から３１のいずれか一項に記載の薬剤ディスペンサ。
【請求項３３】
電気エネルギー源をさらに備える、請求項１から３２のいずれか一項に記載の薬剤ディスペンサ。
【請求項３４】
前記電気エネルギー源は１つのボルタ電池または一群のボルタ電池を備える、請求項３３に記載の薬剤ディスペンサ。
【請求項３５】
前記１つのボルタ電池または一群のボルタ電池は再充電可能である、請求項３４に記載の薬剤ディスペンサ。
【請求項３６】
前記電気エネルギー源は１つの光電池または一群の光電池を備える、請求項３３に記載の薬剤ディスペンサ。
【請求項３７】
前記電気エネルギー源は、機械エネルギーを電気エネルギーに変換する変換器を備える、請求項３３に記載の薬剤ディスペンサ。
【請求項３８】
駆動手段への電流の量を調節する調節器をさらに備える、請求項３３から３７のいずれか一項に記載の薬剤ディスペンサ。
【請求項３９】
前記調節器は、駆動手段への電流の持続時間を調節するタイマを備える、請求項３８に記載の薬剤ディスペンサ。
【請求項４０】
調節器は１つまたは複数のセンサに応答する、請求項３８または３９に記載の薬剤ディスペンサ。
【請求項４１】
前記センサは、位置特性、速度特性、トルク特性、加速度特性、移動特性、圧力特性、および／または力特性を検知する、請求項４０に記載の薬剤ディスペンサ。
【請求項４２】
センサは駆動手段への電流を監視する、請求項４０または４１に記載の薬剤ディスペンサ。
【請求項４３】
局所電気エネルギー蓄積装置をさらに備える、請求項３２から４２のいずれか一項に記載の薬剤ディスペンサ。
【請求項４４】
前記薬剤容器は薬剤エーロゾル容器である、請求項１から４３のいずれか一項に記載の薬剤ディスペンサ。
【請求項４５】
前記薬剤エーロゾル容器は、薬剤を推進薬に溶かした懸濁液を含む、請求項４４に記載の薬剤ディスペンサ。
【請求項４６】
前記推進薬は、液化されたHFA１３４a、HFA-２２７、ヘリウム、または二酸化炭素を含む、請求項４５に記載の薬剤ディスペンサ。
【請求項４７】
前記薬剤エーロゾル容器は、薬剤を溶媒に溶かした溶液を含む、請求項４６に記載の薬剤ディスペンサ。
【請求項４８】
前記エーロゾル容器は圧縮された空気または気体を含み、薬剤容器は乾燥粉末形態の薬剤を含む、請求項４４から４７のいずれか一項に記載の薬剤ディスペンサ。
【請求項４９】
薬剤は、プロピオン酸アルブテロール、プロピオン酸サルメテロール、プロピオン酸フルチカソン、フランカルボン酸フルチカソン、ジプロピオン酸ベクロメタソン、それらの塩または溶媒和物およびそれらの任意の混合物から成る群から選択される、請求項４５から４８のいずれか一項に記載の薬剤ディスペンサ。
【請求項５０】
弁は滑り弁である、請求項５から４９のいずれか一項に記載の薬剤ディスペンサ。
【請求項５１】
弁は計量弁である、請求項５から４９のいずれか一項に記載の薬剤ディスペンサ。
【請求項５２】
容器シートは、薬剤容器またはエーロゾル容器のベースをぴったりと受け入れる形状になっている、請求項１から５１のいずれか一項に記載の薬剤ディスペンサ。
【請求項５３】
ディスペンサ・シートは供給機構の先端をぴったりと受け入れる形状になっている、請求項２または請求項４から５２のいずれか一項に記載の薬剤ディスペンサ。
【請求項５４】
ディスペンサ・シートはさらに、薬剤容器またはエーロゾル容器の壁を支持する形状になっている、請求項５３に記載の薬剤ディスペンサ。
【請求項５５】
容器シートとディスペンサ・シートは組み合わされ、薬剤容器またはエーロゾル容器用のクレードルを形成する、請求項５４に記載の薬剤ディスペンサ。
【請求項５６】
駆動手段への電流の導通、したがって、供給機構の作動は、患者作動式トリガに応答して行われる、請求項１０から５５のいずれか一項に記載の薬剤ディスペンサ。
【請求項５７】
前記トリガはボタン構成、スイッチ構成、またはレバー構成を備える、請求項５６に記載の薬剤ディスペンサ。
【請求項５８】
吸入可能な薬剤を供給する吸入器の形をした、請求項１から５７に記載の薬剤ディスペンサ。
【請求項５９】
駆動機構への電流の導通、したがって、供給機構の作動は、患者の呼吸を検知するセンサを備える患者作動式トリガに応答して行われる、請求項５８に記載の薬剤ディスペンサ。
【請求項６０】
センサは、患者の呼吸に応答して移動することのできる呼吸可動要素を備える、請求項５９に記載の薬剤ディスペンサ。
【請求項６１】
前記呼吸可動要素は、羽根、帆、ピストン、ダイアフラム、および羽根車から成る群から選択される、請求項６０に記載の薬剤ディスペンサ。
【請求項６２】
前記センサは、患者の呼吸に関連する圧力プロファイルを検知する圧力センサを備える、請求項５９に記載の薬剤ディスペンサ。
【請求項６３】
前記センサは、患者の呼吸に関連する空気流プロファイルを検知する空気流センサを備える、請求項５９に記載の薬剤ディスペンサ。
【請求項６４】
前記センサは、患者の呼吸に関連する温度プロファイルを検知する温度センサを備える、請求項５９に記載の薬剤ディスペンサ。
【請求項６５】
前記センサは、患者の呼吸に関連する水分プロファイルを検知する水分センサを備える、請求項５９に記載の薬剤ディスペンサ。
【請求項６６】
前記センサは、患者の呼吸に関連する酸素プロファイルまたは二酸化炭素プロファイルを検知する気体センサを備える、請求項５９に記載の薬剤ディスペンサ。
【請求項６７】
供給機構の作動回数をカウントする作動カウンタ、または供給された用量の数をカウントする用量カウンタを備える、請求項１から６６のいずれか一項に記載の薬剤ディスペンサ。
【請求項６８】
前記作動カウンタは、駆動手段から独立している、請求項６７に記載の薬剤ディスペンサ。
【請求項６９】
供給機構の手動作動を可能にするマニュアル・オーバライドを備える、請求項１から６８のいずれか一項に記載の薬剤ディスペンサ。
【請求項７０】
駆動手段への非機械的エネルギーの供給を制御する電子制御システムをさらに備える、請求項１から６９のいずれか一項に記載の薬剤ディスペンサ。
【請求項７１】
電子制御システムは、駆動手段に非機械的エネルギーのパルスを与えることができる、請求項７０に記載の薬剤ディスペンサ。
【請求項７２】
電子制御システムは、ディスペンサ上に配置できる電子センサからの入力を受信することができる、請求項７０または７１に記載の薬剤ディスペンサ。
【請求項７３】
呼吸センサ、振動センサ、温度センサ、赤外線センサ、および患者IDセンサから成る群から選択される電子センサをさらに備える、請求項７２に記載の薬剤ディスペンサ。
【請求項７４】
薬剤容器を受け入れる容器シートと、
供給機構を受け入れるディスペンサ・シートと、
容器シートをディスペンサ・シートに対して移動させて供給機構を作動させることができ、非機械的エネルギーが加えられたときにそれに応答して作動することができる駆動手段とを備える供給機構を有する薬剤容器用のアクチュエータであって、
前記駆動手段から与えられたトルクを増大させる歯車手段が前記駆動手段に設けられているアクチュエータ。
【請求項７５】
ハウジングと、
薬剤容器を受け入れる、ハウジング内の容器シートと、
ハウジング上に位置するかまたはハウジングに連結されたアンカー・ステーションと、
容器シートをアンカー・ステーションに対して移動させて供給機構を作動させることができ、非機械的エネルギーが加えられたときにそれに応答して作動することができる駆動手段とを備える供給機構を有する薬剤容器用のアクチュエータであって、
前記駆動手段から与えられたトルクを増大させる歯車手段が前記駆動手段に設けられているアクチュエータ。
【請求項７６】
薬剤容器を有し、それとは別に、
放出される薬剤を含む前記薬剤容器を受け入れる形状を有するハウジングと、
供給機構を有する前記エーロゾル容器を受け入れる、前記ハウジング内の容器シートと、
ハウジング上に位置するかまたはハウジングに連結されたアンカー・ステーションと、
容器シートをアンカー・ステーションに対して移動させて供給機構を作動させ、放出された薬剤にエネルギーを与えることができ、非機械的エネルギーが加えられたときにそれに応答して作動することができる駆動手段とを備える供給機構を有するエーロゾル容器を有する薬剤ディスペンサ用のアクチュエータであって、
前記駆動手段から与えられたトルクを増大させる歯車手段が前記駆動手段に設けられているアクチュエータ。
【請求項７７】
薬剤容器を有し、それとは別に、放出されるべき薬剤を含む前記薬剤容器を受け入れる形状を有するハウジングと、
供給機構を有するエーロゾル容器と、
供給機構を有する前記エーロゾル容器を受け入れる容器シートと、
供給機構を受け入れるディスペンサ・シートと、
容器シートをディスペンサ・シートに対して移動させて供給機構を作動させ、放出された薬剤にエネルギーを与えることができ、非機械的エネルギーが加えられたときにそれに応答して作動することができる駆動手段とを備える供給機構を有するエーロゾル容器を有する薬剤ディスペンサ用のアクチュエータであって、
前記駆動手段から与えられたトルクを増大させる歯車手段が前記駆動手段に設けられているアクチュエータ。
【請求項７８】
駆動手段への非機械的エネルギーの供給を制御する電子制御システムをさらに備える、請求項７４から７７のいずれかに記載のアクチュエータ。
【請求項７９】
前記電子制御システムは、非機械的エネルギーのパルスを駆動手段に与えることができる、請求項７８に記載のアクチュエータ。
【請求項８０】
電子制御システムは、ディスペンサ上に配置することのできる電子センサからの入力を受信することができる、請求項７８または７９に記載のアクチュエータ。
【請求項８１】
呼吸センサ、振動センサ、温度センサ、赤外線センサ、および患者IDセンサから成る群から選択される電子センサをさらに含む、請求項８０に記載のアクチュエータ。
【請求項８２】
請求項７４から８１のいずれか一項に記載の少なくとも１つのアクチュエータと前記少なくとも１つのアクチュエータ用の取付け装置とを備える供給機構を有する、薬剤容器を試験する実験所試験装置。
【請求項８３】
カートリッジ形をした、請求項１から７３のいずれか一項に記載の薬剤ディスペンサと、
前記カートリッジを受け入れる形状を有するハウジングとを備える部品のキット。